(57)【要約】      （修正有）【課題】より簡便な方法で偏差を知ることができ且つ、地図上に磁北線を引かずに使用できる磁気コンパスを提供する。【解決手段】カプセルに収められたニードル５に載着された磁針４に、偏差ライン９（磁針の示す北と地図上の北、真北との差）を表示する。偏差ライン９は、他の表示される磁北線や進行線とは異なる色で表示されるとともに、少なくとも国内を二区分され、且つ、表示された偏差ライン９は、区分された地区の平均的なものである。【選択図】図７
0003172470.tif 000002
【実用新案登録請求の範囲】
【請求項１】
カプセルに収められたニードル５に載着された磁針４に、偏差ライン（磁針の示す北と地図上の北、真北との差）９を表示したことを特徴とする携帯用磁気コンパス。
【請求項２】
磁針４に表示される偏差ライン９は、他の表示される磁北線や進行線とは異なる色で表示されるとともに、少なくとも国内を二区分され、且つ、表示された偏差ライン９は、区分された地区の平均的なものであることを特徴とする請求項１記載の携帯用磁気コンパス。
【考案の詳細な説明】
【技術分野】
【０００１】  本考案は、登山やキャンプ或いは山野跋渉などと言った時に用いられる、比較的小型な携行型の磁気コンパスに関するものであって、内、ニードルに磁針が載着されたタイプの磁気コンパスに採用される考案である。
【背景技術】
【０００２】  この種のコンパスとしては、図１及び図２に示した磁気コンパスに分度器と定規の機能を兼ね備えたプロトラクタータイプと、図３及び図４に示した方位角度のみが読み込み可能なタイプなものとに大別される。【０００３】  また別な区分方法としては、磁針の設置法方によるもので、図１，図２及び図４のように本考案が対象とする設置方法によるタイプの磁気コンパスで、一方は図３タイプのものは、磁針は無く方位盤がニードルに載着されたものである。
更には磁北に向いた磁針或いは方位盤がぶれることなく素早く停止するようカプセル内にオイルを注入し制動力を増した機種（オイル制動）と、自然的な停止を待つ機種（自然制動）タイプとがある。
何れのタイプの磁気コンパスも、その磁針はハドソン湾の磁力の方向を示す磁北（磁気コンパスの針が示す北）点である。【０００４】  一方、地形図（此処では単に地図と言う）の上方の北は地図作成上の北（真北）で、
北極と南極とを中心に（経線）したものであるから、必然的にそこには各地まちまちな、例えば、鹿児島の５．０５度から稚内の９．４６度など真北と磁北とに偏差が生じる。
本来ならば、地図と磁気コンパスを使う場合、この偏差を予め地図上に使用者は表示しておかなければならない。しかしながらこれ等の偏差は、野外活動に使用される携帯型の磁気コンパスの場合、オリエンテーリング大会の様な一部の競技性の高い用途に使用される場合を除き、通常は無視されているのが実情である。【０００５】  全日本選手権大会や全日本学生選手権大会のように競技の高いオリエンテーリングでは、地図そのものを一般的なものから磁北を中心にした独自の地図に作り変え、偏差の問題を解決している。即ち、オリエンテーリング競技では競技中真北は考えなくとも良い地図の使用が公式競技の要件となっているが、問題なのは、磁北や真北の知識を有しないか、或いは面倒がって磁北線を地図上に記入しない人が、上記登山やキャンプ或いは山野跋渉などに出かけて方向性を見失い遭難し、救助を求めるケースが特に中高年層を中心に毎年増加する傾向を呈していることである。
【先行技術文献】
【０００６】
【特許文献】
【特許文献】登録実用新案第３０４９９３６号  登録実用新案第３０６９７３９号
【０００７】
【非特許文献】
【非特許文献】株式会社エバニユー２０１０年カタログ
【考案の概要】
【考案が解決しようとする課題】
【０００８】  そこで本考案は、真北と磁北の偏差の存在の知識程度は有していて、オリエンテーリングの様には地図読みの正確性が求められない、大まかな地図読みで差し支え無い、例えば限定的な登山や湿地帯めぐり、山谷跋渉といったごく一般的な野外活動などで使用されるのに最適なコンパスを提供することにある。
【課題を解決するための手段】
【０００９】  本考案による磁気コンパスは、カプセルに収められたニードルに載着された磁針に、偏差ライン（磁針の示す北と地図上の北、真北との差）を表示し、磁針に表示される偏差ラインは、他の表示される磁北線や進行線とは異なる色で表示されるとともに、少なくとも国内を二区分され、且つ、表示された偏差ラインは、区分された地区の平均的なものであることを特徴とし課題を解決するための手段としている。
【考案の効果】
【００１０】  以上の説明のように、磁針に偏差ライン（磁針の示す北と地図上の北、真北との差）を表示し、表示される偏差ラインは、磁針に表示される他の表示線である、磁北線や進行線とは異なる色で表示されるとともに、この偏差ラインは偏差を少なくとも国内販売地域を二区分されその地域の平均真北偏差を表示したもので、且つ、表示された偏差ラインは区分された地区の平均的なものであることを特徴としたものであるから次の効果を奏する。【００１１】  例えば、競技性の高いオリエンテーリングや地図測量と言った正確性や精密性が求められる用途では無く、山野跋渉或いはハイキングと言った本考案が目的とする用途での磁気コンパスは、磁針に予め偏差ライン（磁針の北と地図上の北との差）が表示されているので、地図に磁北線を記入する必要なく購入した国土地理院発行の地図をそのまま持参しても、磁気コンパスで方向を測定し、地図を正置（地図の向きと地形が合致した状態）可能にすることができ、直ぐにその地図が使用できる。【００１２】  また、表示される偏差ラインは少なくとも国内を２以上に分け、且つそれぞれの地区の平均的偏差を表示してあるので、その地域に即した偏差が表示されておりその誤差は少なく本考案の目的とする用途の磁気コンパスには最適である。
【図面の簡単な説明】
【００１３】
【図１】本考案実施前の磁気コンパスの一機種を説明する図である。
【図２】本考案実施前の図１と異なるタイプの磁気コンパスを説明する図である。
【図３】本考案が対象外とする磁気コンパスの代表的な一機種を説明する図である。
【図４】本考案実施前の一般的なタイプの磁気コンパスを説明する図である。
【図５】本考案が実施される磁気コンパス要部の説明図である。
【図６】本考案の説明図である。
【考案を実施するための形態】
【００１４】  以下、図面に基づいて本考案の実施形態を説明する。
本考案は図１，図２及び図４に示されたような携帯型で且つ、カプセル内に納められたニードルに載着された磁針に偏差ラインを（地図の真北、経線）を表示したものである。
【実施例１】
【００１５】  本考案が実施されるに適した図１のコンパスは、時にはスケールの役目を果たすための目盛り７が表示された透明なプレート１と、適宜な弾性を有する指に固定するバンド２と、該指が滑らないための例えば合成ゴムから成る滑り止め６を備え、図５にその要部を拡大で示したように、磁針の制動力を向上されるオイルを充填した透明なカプセル３内のニードル５に磁針４が設けられたものである。【００１６】  図２も本考案が実施されるに適したタイプのコンパスで、プロトラクターコンパスと呼ばれ、磁気コンパスとしての機能の他に、地図上の距離を測定したり地図上にラインを引いたりするための目盛りが表示された透明な定規と、磁針の制動力を向上されるオイルを充填した回転自在な分度器の役目を担う透明なカプセル３内のニードル５に磁針４が設けられたものである【００１７】  図３は本考案が実施されるに不適なタイプのコンパスで、図６にその要部を拡大で示したように、透明なカプセル１１内のニードル５に磁針は設けられておらず、方位角度を表示した方位盤１２が設けられたものである。【００１８】  図４本考案が実施されるに適したタイプの最も一般的な磁気コンパスで、開閉自在な蓋機能を有し、方位角度を表示した方位盤が納められるとともに、磁針の制動力を向上されるオイルを充填した透明なカプセル３内のニードル５に磁針４が設けられたものである。【００１８】  図７は本考案を実施した上記説明のように、磁針の制動力を向上されるオイルを充填した透明なカプセル３内のニードル５に磁針４が設けられ、この磁針に地図上の北、真北の線である経線と、磁石の示す北、磁石の示す北、磁北線１０との偏差のライン９を表示したものである。
【実施例２】
【００１９】  本考案における実施例２は、実施例１において表示された偏差のライン９を表示したものである。磁北線１０とは異なる色で表示し、判別を容易にするとともに、国内を少なくとも２分割してそれぞれの地区の平均値を表示し偏差の誤差表示を少なくしている。
【産業上の利用可能性】
【００２０】  本考案は以上のように、ニードルに載着された磁針の表面に、磁石が示す北と地図作成上の北、つまり偏差を表示したものであるから、使用する地区の偏差値知識を有しないか或い磁北線を引いて使用するほど精密性を要しない人は地図上に磁北線（磁石の針の示す北）を引いてから使用する手間を要しないので、山野跋渉などで使用する磁気コンパスとしては最適であると言える。
即ち、地図とコンパスを使用する中高年を含めた大多数の野外活動愛好者は大いに助けられ道迷い防止の一助ともなる。その上、製造上これと言った問題点も無く提供できるので産業上の利用可能性は高い。
【符号の説明】
【００１５】  Ａ指に固定されるプロトラクタータイプのコンパス    Ｂ手で携行されるプロトラクタータイプのコンパス    Ｃレンザチックコンパス    Ｄ最も一般的な磁気コンパス
１プレート    ２固定バンド    ３カプセルリング    ４磁針    ５ニードル    ６滑り止め    ７スケール    ８ルーペ    ９真偏差ライン    １０磁北線    １２方位盤
【図１】
0003172470.tif 000003
【図２】
0003172470.tif 000004
【図３】
0003172470.tif 000005
【図４】
0003172470.tif 000006
【図５】
0003172470.tif 000007
【図６】
0003172470.tif 000008
【図７】
0003172470.tif 000009
【手続補正書】
【提出日】平成23年10月24日(2011.10.24)
【手続補正１】
【補正対象書類名】明細書
【補正対象項目名】００１３
【補正方法】変更
【補正の内容】
【００１３】
【図１】本考案実施前の磁気コンパスの一機種を説明する図である。
【図２】本考案実施前の図１と異なるタイプの磁気コンパスを説明する図である。
【図３】本考案が対象外とする磁気コンパスの代表的な一機種を説明する図である。
【図４】本考案実施前の一般的なタイプの磁気コンパスを説明する図である。
【図５】本考案が実施される磁気コンパス要部の説明図である。
【図６】本考案が対象外とする磁気コンパス要部の図である。
【図７】本考案の説明図である。